(57)【要約】【課題】キャップに指を掛けることができるようにして必要時にはキャップを取り外し易くしながら、不意に外力が作用した場合にはキャップが外れかかったり、脱落したりしないようにする。【解決手段】管状の封止対象物を封止するためのキャップ１において、封止対象物に係脱可能に構成されたキャップ本体１０と、キャップ本体１０から封止対象物の外方へ向かってキャップ本体１０の取り外し方向へ突出し、取り外し時に指を掛けて引っ張るための引っ張り部２０とを備え、引っ張り部２０は、キャップ本体１０からの突出方向と交差する方向の外力を受けた際に変形を許容する変形部２０ｃ，２０ｄを有している。【選択図】図１
2013035591.tif 000002
【特許請求の範囲】
【請求項１】
管状の封止対象物を封止するためのキャップにおいて、
上記封止対象物の開口を封止するとともに、該封止対象物に係脱可能に構成されたキャップ本体と、
上記キャップ本体から上記封止対象物の外方へ向かって該キャップ本体の取り外し方向へ突出し、取り外し時に指を掛けて引っ張るための引っ張り部とを備え、
上記引っ張り部は、上記キャップ本体からの突出方向と交差する方向の外力を受けた際に変形を許容する変形部を有していることを特徴とするキャップ。
【請求項２】
請求項１に記載のキャップにおいて、
上記引っ張り部は、リング状に形成されており、
上記変形部は、上記引っ張り部において該引っ張り部の中心を通って上記キャップ本体の取り外し方向に延びる直線を対称の中心とした線対称に位置する第１部位と第２部位とにそれぞれ設けられていることを特徴とするキャップ。
【請求項３】
請求項１または２に記載のキャップにおいて、
上記引っ張り部には、指を掛ける際に該指が接触する指接触部が設けられ、
上記指接触部と上記変形部とは離れていることを特徴とするキャップ。
【請求項４】
請求項１から３のいずれか１つに記載のキャップにおいて、
上記変形部は、弾性材料で構成されていることを特徴とするキャップ。
【発明の詳細な説明】
【技術分野】
【０００１】
本発明は、例えば医療用の導管やコネクタ等を封止するためのキャップに関するものである。
【背景技術】
【０００２】
従来から、輸液用の導管や、導管の端部に接続するコネクタを使用前に封止しておくためのキャップが知られている（例えば特許文献１参照）。この特許文献１のキャップは、コネクタを封止するためのものであり、コネクタの開口を覆うように形成されたキャップ本体と、キャップ本体に一体に設けられたリング部とを有している。キャップ本体はコネクタの開口に挿入された状態でコネクタに嵌合し、これによってキャップが不意に離脱しないようになっている。一方、リング部は、キャップ本体をコネクタから引き抜くためのものであり、キャップ本体の引き抜き方向、即ち、コネクタの外方へ向かって突出している。リング部を設けていることにより、例えば指先が不自由な人でもリング部に指をかけてキャップを容易に外すことが可能になる。
【先行技術文献】
【特許文献】
【０００３】
【特許文献１】特開２０１０−２２７１６７号公報
【発明の概要】
【発明が解決しようとする課題】
【０００４】
ところが、特許文献１のキャップではリング部がコネクタの外方へ突出した状態となっているので、例えば使用前の搬送中にリング部に外力が作用し易い。外力の作用する方向は様々であり、例えばキャップ本体をこじるような方向の外力が作用すると、キャップ本体がコネクタから外れかかってしまうことや、完全に脱落してしまうことが考えられる。特に、医療用器具の一部として用いられているキャップの場合、使用開始までにキャップが脱落してしまうのは回避したいという要求が強い。
【０００５】
本発明は、かかる点に鑑みてなされたものであり、その目的とするところは、キャップに指を掛けることができるようにして必要時にはキャップを取り外し易くしながら、不意に外力が作用した場合にはキャップが外れかかったり、脱落したりしないようにすることにある。
【課題を解決するための手段】
【０００６】
上記目的を達成するために、本発明では、指を掛ける部分に不意に外力が作用した場合に、その外力を吸収できるようにした。
【０００７】
第１の発明は、管状の封止対象物を封止するためのキャップにおいて、上記封止対象物の開口を封止するとともに、該封止対象物に係脱可能に構成されたキャップ本体と、上記キャップ本体から上記封止対象物の外方へ向かって該キャップ本体の取り外し方向へ突出し、取り外し時に指を掛けて引っ張るための引っ張り部とを備え、上記引っ張り部は、上記キャップ本体からの突出方向と交差する方向の外力を受けた際に変形を許容する変形部を有していることを特徴とするものである。
【０００８】
この構成によれば、引っ張り部に指を掛けることで指先の不自由な人でもキャップを容易に取り外すことが可能になる。
【０００９】
一方、人がキャップを外す前に、例えば搬送中において引っ張り部に対してその突出方向と交差する方向に外力が作用することが想定される。このような外力はキャップ本体をこじるように作用することになるが、本発明では、引っ張り部の変形部が変形することによって外力が吸収されることになる。これにより、キャップ本体にかかるこじり力が軽減されるので、キャップ本体を封止対象物に係合させた状態で維持することが可能になる。
【００１０】
第２の発明は、第１の発明において、上記引っ張り部は、リング状に形成されており、上記変形部は、上記引っ張り部において該引っ張り部の中心を通って上記キャップ本体の取り外し方向に延びる直線を対称の中心とした線対称に位置する第１部位と第２部位とにそれぞれ設けられていることを特徴とするものである。
【００１１】
この構成によれば、引っ張り部に外力が作用した際、引っ張り部を第１及び第２部位において折れ曲がるように変形させることが可能になる。これにより、キャップ本体にかかるこじり力が確実に軽減される。
【００１２】
第３の発明は、第１または２の発明において、上記引っ張り部には、指を掛ける際に該指が接触する指接触部が設けられ、上記指接触部と上記変形部とは離れていることを特徴とするものである。
【００１３】
この構成によれば、キャップを外す際、引っ張り部の指接触部に引張力が作用することになる。このとき、指接触部が変形部から離れていることで、指接触部の変形が抑制され、操作性が向上する。
【００１４】
第４の発明は、第１から３のいずれか１つの発明において、上記変形部は、弾性材料で構成されていることを特徴とするものである。
【００１５】
この構成によれば、変形部が弾性変形するので、外力が作用した際の変形量を十分に確保しても引っ張り部の形状を復元させることが可能になる。
【発明の効果】
【００１６】
第１の発明によれば、封止対象物に係脱するキャップ本体に引っ張り部を設け、引っ張り部が、その突出方向と交差する方向の外力を受けた際に変形するようにしたので、必要時にはキャップに指を掛けて取り外し易くしながら、不意に外力が作用した際にはキャップの外れや脱落を抑止することができる。
【００１７】
第２の発明によれば、リング状の引っ張り部において線対称の位置関係にある第１及び第２部位に変形部をそれぞれ設けたので、外力が作用した際に引っ張り部を折れるように変形させてキャップ本体にかかる力を確実に軽減することができ、これにより、キャップの外れや脱落を未然に防止できる。
【００１８】
第３の発明によれば、指接触部と変形部とを離したので、キャップを外す際に指接触部の変形を抑制することができ、操作性を良好にすることができる。
【００１９】
第４の発明によれば、変形部を弾性材料で構成したので、外力が作用した際に大きく変形させてキャップの脱落を未然に防止しながら、必要時には形状を復元させて引っ張り部として機能させることができる。
【図面の簡単な説明】
【００２０】
【図１】本発明の実施形態にかかるキャップをキャップ本体側から見た斜視図である。
【図２】雌コネクタをキャップで封止した状態の側面図である。
【図３】雌コネクタをキャップで封止した状態の中心線に沿う断面図である。
【図４】キャップを封止する前の図３相当図である。
【図５】キャップの正面図である。
【図６】キャップの側面図である。
【図７】キャップをキャップ本体側から見た図である。
【図８】図５のVIII−VIII線断面図である。
【図９】図６のIX−IX線断面図である。
【図１０】図５のX−X線断面図である。
【図１１】実施形態にかかるキャップの取り外しに要する力と可撓片の肉厚との関係を示すグラフである。
【図１２】比較例にかかる図７相当図である。
【図１３】比較例にかかる図１１相当図である。
【図１４】変形例にかかる図５相当図である。
【発明を実施するための形態】
【００２１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２２】
図１は、本発明の実施形態にかかるキャップ１を示すものである。このキャップ１は、図２及び図３に示すように、医療用導管１００の先端に取り付けられた雌コネクタ１０１（封止対象物）の開口を封止するためのものである。医療用導管１００の基端部は、透析液の薬液が充填された腹膜透析液バッグ（図示せず）に接続されている。雌コネクタ１０１は、患者の腹部側の導管（図示せず）が有する雄コネクタ（図示せず）に接続されるものである。
【００２３】
尚、本発明は、上記したコネクタ１０１を封止する場合以外にも、医療現場で使用されている各種導管やコネクタの端部を封止する場合にも使用することができ、また、医療現場以外でも使用可能である。
【００２４】
本実施形態の説明では、キャップ１の構造を説明する前に雌コネクタ１０１の概略構造について説明する。雌コネクタ１０１は、樹脂材を略円筒状に成形してなるものであり、その中心線方向一端部（図２及び図３の右側）に上記導管１００が接続されている。雌コネクタ１０１の中心線方向他端部（図２及び図３の左側）は、雄コネクタが差し込まれる差し込み口１０１ａとされている。この差し込み口１０１ａには、透析開始直前に雄コネクタが差し込まれ、それ以前は図３に示すように上記キャップ１により封止されている。
【００２５】
図４にも示すように、雌コネクタ１０１の内部には、その中心線と同心上に小径の管部１０２が一体成形されている。管部１０２の一端部に導管１００が接続されており、薬液は管部１０２内を流れるようになっている。また、管部１０２の他端部は、雌コネクタ１０１内において中心線方向中央部近傍に位置している。管部１０２の外周面の導管１００側は、導管１００に近づくほど拡径するように形成されたテーパー面部１０２ａで構成されている。
【００２６】
雌コネクタ１０１は、樹脂製の内筒部材１０３を備えており、この内筒部材１０３は雌コネクタ１０１に挿入されている。内筒部材１０３の外周面は雌コネクタ１０１本体の内周面に沿うように形成され、該雌コネクタ１０１の内周面に固定されている。内筒部材１０３の周壁部には、キャップ１がそれぞれ係合する２つの係合孔１０４，１０４が貫通形成されている。係合孔１０４，１０４は、周方向に長いスリット形状とされ、互いに周方向に１８０゜離れている。
【００２７】
次に、キャップ１の構造について説明する。図１にも示すように、キャップ１は、雌コネクタ１０１の開口を封止するキャップ本体１０と、キャップ１を雌コネクタ１０１から取り外す際に引っ張るための引っ張り部２０とを備えている。キャップ本体１０と引っ張り部２０とは、例えばポリプロピレンのような弾性を有する樹脂材により一体成形されている。ここで、樹脂材が備えている弾性とは、外力を作用させて変形させても、外力を取り除くと元の形状に復元する性質であり、完全に元の形状に復元しなくても元の形状に近づくように変形する性質も含むものとする。
【００２８】
キャップ本体１０は、図５や図６にも示すように、雌コネクタ１０１の差し込み口１０１ａを覆うように形成された円形板部１１と、円形板部１１の中心部から突出する円筒部１２と、円筒部１２の外周面から径方向外方へ延出する延出板部１３と、延出板部１３に設けられた一対の可撓片１４，１４及び複数のリブ１５，１５とを備えている。
【００２９】
円形板部１１の周縁部には、雌コネクタ１０１の差し込み口１０１ａの周縁部に嵌る段部１１ａが形成されている。この段部１１ａが差し込み口１０１ａの周縁部に嵌ることで雌コネクタ１０１の内部が密閉される。
【００３０】
円筒部１２は、雌コネクタ１０１の管部１０２の外側を覆うように該管部１０２よりも大径に形成されている。図３に示すように、円筒部１２の先端側には、管部１０２のテーパー面部１０２ａが嵌合するようになっている。
【００３１】
延出板部１３は、円筒部１２の基端部に近い部位に形成されており、図７に示すように、円筒部１２の先端側から見たとき、円筒部１２の周方向に連続する円形状となっている。延出板部１３の外径は、円形板部１１の外径よりも若干小さく設定されている。
【００３２】
図１に示すように、可撓片１４，１４は、延出板部１３における円形板部１１とは反対側の面１３ａから円筒部１２の中心線と略平行に突出しており、互いに周方向に１８０゜離れている。
【００３３】
可撓片１４は、図７に一点鎖線で示すように円筒部１２の接線方向に真っ直ぐに延びる平板状とされている。すなわち、可撓片１４をその突出方向先端側から見ると、円筒部１２の外周面に沿う円弧状とはなっておらず、直線状をなしている。
【００３４】
可撓片１４における円筒部１２側の側面（内側面）１４ａと、円筒部１２の外周面との間には隙間が形成されている。各可撓片１４は、突出方向先端側が円筒部１２の径方向に変位するように弾性変形する、いわゆる可撓性を有している。
【００３５】
図８にも示すように、可撓片１４の円筒部１２と反対側の面である外側面１４ｂには、突出方向先端部に突起１４ｃが設けられている。図１に示すように、突起１４ｃは、可撓片１４の幅方向両端近傍に亘って延びている。図３に示すように、この突起１４ｃが雌コネクタ１０１の係合孔１０４に入って該係合孔１０４の周縁部と係合することによってキャップ１が取り付けられ、一方、係合孔１０４から離脱して係合状態が解除されることでキャップ１が外れる。つまり、可撓片１４，１４は雌コネクタ１０１に係脱するように構成されている。
【００３６】
図１や図５に示すように、可撓片１４の外側面１４ｂには、３つの凸部１４ｄ，１４ｄ，１４ｄが該可撓片１４の幅方向に互いに間隔をあけて形成されている。これら凸部１４ｄは、可撓片１４の基端側約半分の領域に形成されており、延出板部１３の面１３ａと連なっている。これら凸部１４ｄの形成により、可撓片１４の基端側の肉厚が厚くなって剛性が高まり、可撓片１４の折れが抑制される。可撓片１４の剛性は凸部１４ｄの数や形状によって任意に変更できる。また、この凸部１４ｄは、キャップ１を雌コネクタ１０１に取り付けた状態で、該雌コネクタ１０１の内面に接触し、これによってキャップ１のがたつきが防止されるようになっている。
【００３７】
リブ１５は、可撓片１４と同様に延出板部１３の面１３ａから突出しており、可撓片１４，１４の間に配置されている。図７に示すように、リブ１５は、その突出方向先端側から見たとき、円筒部１２の外周面に沿うように円弧状に湾曲している。
【００３８】
次に、引っ張り部２０の構造について説明する。図５に示すように、引っ張り部２０は、正面視で略円環状（リング状）に形成されている。引っ張り部２０は、キャップ本体１０の円形板部１１の外表面（雌コネクタ１０１外に臨む面）から該円形板部１１の中心線方向に突出している。突出方向は図２の矢印Ｙで示す方向である。従って、引っ張り部２０の突出方向は、雌コネクタ１０１に取り付けられたキャップ１を雌コネクタ１０１から抜く方向（雌コネクタ１０１の中心線方向）と略一致している。
【００３９】
引っ張り部２０の外径は、円形板部１１の外径よりも大きく設定されている。また、図５及び図９に示すように、引っ張り部２０の周方向の一端部２０ａ及び他端部２０ｂは、円形板部１１と一体成形されている。一端部２０ａ及び他端部２０ｂは円形板部１１の径方向に互いに離れており、それぞれ円形板部１１の外側寄りに位置している。一端部２０ａ及び他端部２０ｂは、円形板部１１の周方向について可撓片１４，１４の間に位置するようになっている。具体的には、図１０に示すように、キャップ本体１０を中心線方向に沿って見たとき、引っ張り部２０の一端部２０ａ及び他端部２０ｂは可撓片１４，１４と重複しない範囲に位置している。
【００４０】
図５に示すように、引っ張り部２０の正面視では、一端部２０ａ及び他端部２０ｂの幅寸法は、引っ張り部２０の他の部分の幅寸法に比べて若干広めに設定されている。
【００４１】
引っ張り部２０は、第１及び第２変形部２０ｃ，２０ｄと、指をかけるための指接触部２０ｅとを有している。第１及び第２変形部２０ｃ，２０ｄは、引っ張り部２０が該引っ張り部２０の突出方向と交差する方向の外力（図２に白抜き矢印で示す）を受けた際に、該引っ張り部２０の変形を許容するためのものであり、図５に示すように、引っ張り部２０の周方向に互いに間隔をあけて設けられている。
【００４２】
具体的には、第１変形部２０ｃは、引っ張り部２０のキャップ本体１０からの突出方向中間部において一端部２０ａ寄りに設けられている。また、第２変形部２０ｄは、引っ張り部２０の突出方向中間部において他端部２０ｂ寄りに設けられている。すなわち、第１変形部２０ｃは、引っ張り部２０の周方向の一部である第１部位（仮想線Ａで囲んだ部位）に設けられ、第２変形部２０ｄは、引っ張り部２０の中心Ｘを通り、かつ、キャップ本体１０の取り外し方向に延びる直線Ｚを対称の中心として第１部位Ａと線対称の位置関係にある第２部位（仮想線Ｂで囲んだ部位）に設けられている。また、図１０に示すように、第１及び第２変形部２０ｃ，２０ｄは、引っ張り部２０の突出方向先端側から見て、円形板部１１の外縁よりも径方向外方に位置している。
【００４３】
図６に示すように、第１及び第２変形部２０ｃ，２０ｄは、引っ張り部２０の側面視で、他の部位に比べて肉厚寸法が短くなるように形成されている。第１及び第２変形部２０ｃ，２０ｄの肉厚寸法が他の部位に比べて短くされることによって第１及び第２変形部２０ｃ，２０ｄが薄肉化し、これによって他の部位に比べて小さな外力で弾性変形するようになる。また、第１及び第２変形部２０ｃ，２０ｄは全体が滑らかな曲面で構成されており、外力を受けた際に応力集中が起こらないようになっている。
【００４４】
第１及び第２変形部２０ｃ，２０ｄが変形し始める力は次のように設定されている。すなわち、外力によるキャップ本体１０のこじり力が、キャップ本体１０が雌コネクタ１０１から抜ける大きさとなる前に第１及び第２変形部２０ｃ，２０ｄが変形し始めるようになっている。こじり力とは、キャップ本体１０の中心線を雌コネクタ１０１の中心線に対し傾斜させる方向の力である。
【００４５】
指接触部２０ｅは、引っ張り部２０の突出方向先端部に設けられている。指接触部２０ｅは、引っ張り部２０の他の部位よりも該引っ張り部２０の中心線方向両側へそれぞれ延出しており、引っ張り部２０を突出方向先端側から見たときに略円形の板状に形成されている。これにより指接触部２０ｅにおける指との接触面積が増大し、指にかかる圧力を減少させることが可能になる。
【００４６】
次に、上記のように構成されたキャップ１を用いて雌コネクタ１０１を封止する場合について説明する。まず、キャップ１の引っ張り部２０を指で持ち、図４に示すように、キャップ本体１０の円筒部１２側を雌コネクタ１０１の差し込み口１０１ａに対向させ、円筒部１２を差し込み口１０１ａに挿入していく。円筒部１２を挿入していくと、雌コネクタ１０１の管部１０２が円筒部１２内に入っていく。これとともに、キャップ１の可撓片１４の突起１４ｃが雌コネクタ１０１の内周面に当たり、突起１４ｃが雌コネクタ１０１の内周面によって径方向内方へ押される。これにより、可撓片１４が径方向内方へ撓む。
【００４７】
このとき、可撓片１４は平板形状であり、低剛性な形状となっているので、塑性変形は殆ど起こらず、弾性領域での変形となる。
【００４８】
可撓片１４が撓むと突起１４ｃが径方向内方へ変位し、この状態で突起１４ｃが雌コネクタ１０１の内周面を摺動する。キャップ１をさらに深く差し込んでいくと、図３に示すように、突起１４ｃが雌コネクタ１０１の係合孔１０４に達し、これと同時に可撓片１４の復元力によって突起１４ｃが径方向外方へ変位して係合孔１０４に入り、係合孔１０４の周縁部と係合する。可撓片１４は上述のように弾性変形しているので、十分に復元することになり、突起１４ｃはしっかりと係合する。
【００４９】
また、可撓片１４が係合状態になると円筒部１２が管部１０２のテーパー面部１０２ａに嵌り、さらに、円形板部１１の段部１１ａが雌コネクタ１０１の差し込み口１０１ａに嵌る。以上のようにしてキャップ１が雌コネクタ１０１に係合すると雌コネクタ１０１が封止される（図２に示す）。
【００５０】
尚、キャップ１で雌コネクタ１０１を封止する場合には、機械による自動組み付けで行うようにしてもよい。
【００５１】
次に、雌コネクタ１０１を封止した状態にあるキャップ１を使用者が外す場合について説明する。この場合は、使用者が指を引っ張り部２０に差し込んでキャップ本体１０を雌コネクタ１０１から引き抜く方向（図２に矢印Ｙで示す方向）に引っ張る。このとき、引き抜く方向と引っ張り部２０の突出方向とが一致しているので、引っ張り部２０へ作用させた力を引き抜く力として確実に作用させることができる。また、指は引っ張り部２０の指接触部２０ｅに接触することになるが、この指接触部２０ｅは幅が広いので、指にかかる圧力が低減され、使用者が痛み等を感じることは殆どない。
【００５２】
キャップ１を使用者が取り外す際には、キャップ１の成形ばらつき等によって取り外しに要する力がある程度の範囲でばらつくことになる。この取り外しに要する力のばらつきについて、図１１に示すグラフに基づいて説明する。
【００５３】
グラフの縦軸は、キャップ引抜力、即ち、キャップ１の取り外しに要する力であり、単位はニュートン（Ｎ）である。また、横軸は、可撓片１４の肉厚、即ち、可撓片１４における突起１４ｃ及び凸部１４ｄの形成されていない部位の厚みであり、単位はｍｍである。このグラフでは、滅菌前の引抜力と、滅菌後の引抜力とを記載しており、「滅菌前」とは、キャップ１で封止した後に所定温度まで加熱した後、常温に戻す処理（滅菌処理）を行う前の結果であり、「滅菌後」とは、キャップ１で封止した後に上記滅菌処理を行った後の結果である。尚、所定温度とは、一般に医療製造現場で行われている加熱滅菌処理時の温度である。
【００５４】
各肉厚の可撓片１４について複数個のサンプルを作製して実験を行い、生じたばらつきの範囲をそれぞれ縦棒の長さで示している。このグラフに示すように、キャップ引抜力は、最もばらつきの大きい場合の肉厚が１．１ｍｍのときでも、そのばらつきの範囲が３ニュートン程度の低い値となっていることが分かる。また、可撓片１４の肉厚が０．９ｍｍ以下であれば、ばらつきの範囲は２ニュートン以下であり、極めて小さい値となる。
【００５５】
このキャップ引抜強度の比較例として、図１２に示す湾曲した可撓片４０の場合で実験した結果について図１３を参照しながら説明する。可撓片４０は、円筒部１２の外周面に沿う円弧状となっており、突起４０ａを有している。この可撓片４０は、湾曲している分、実施形態の可撓片１４に比べて剛性が高い。
【００５６】
図１３に示すように、可撓片４０の場合は、全ての結果でばらつきの範囲が５ニュートン以上となっていることが分かる。これば可撓片４０の剛性が高い分、成形誤差等に起因して可倒片４０の厚みがわずかに違っても、そのことによる影響が大きく現れてしまうからである。
【００５７】
一方、医療用導管１００の使用前には、キャップ１によって雌コネクタ１０１を封止した状態で、例えば袋等の包装材によって包装されて上記した滅菌処理が施されている。キャップ１の引っ張り部２０が突出しているので、搬送時や包装材を開封する際に、引っ張り部２０に対し、図２に白抜きの矢印で示すように引っ張り部２０の突出方向と交差する方向に外力が作用することがある。この場合、第１及び第２変形部２０ｃ，２０ｄが他の部位よりも低剛性であるため変形し、同図に仮想線で示すように引っ張り部２０が第１及び第２変形部２０ｃ，２０ｄを起点にして折れ曲がる。これは、第１及び第２変形部２０ｃ，２０ｄが、直線Ｚを対称の中心とする線対称の位置関係にあるためである。この引っ張り部２０の折れ曲がりによって外力が吸収されるので、キャップ本体１０にかかるこじり力が低減される。
【００５８】
引っ張り部２０は弾性部材で構成されているので、外力が取り除かれると元の形状に復元する。よって、使用者がキャップ１を外すときに不具合が起こることはない。
【００５９】
以上説明したように、この実施形態にかかるキャップ１によれば、キャップ本体１０に引っ張り部２０を設け、引っ張り部２０が、その突出方向と交差する方向の外力を受けた際に変形するようにしたので、必要時にはキャップ１に指を掛けて取り外し易くしながら、不意に外力が作用した際にはキャップ１の外れや脱落を抑止することができる。
【００６０】
また、引っ張り部２０の中心Ｘを通る直線Ｚを対称の中心とする線対称の位置関係となるように第１及び第２変形部２０ｃ，２０ｄをそれぞれ設けたので、外力が作用した際に引っ張り部２０を折れるように変形させてキャップ本体１０にかかるこじり力を確実に軽減することができ、これにより、キャップ１の外れや脱落を未然に防止できる。
【００６１】
また、指接触部２０ｅと変形部２０ｃ，２０ｄとを離したので、キャップ１を外す際に指接触部２０ｅの変形を抑制することができ、操作性を良好にすることができる。
【００６２】
また、変形部２０ｃ，２０ｄを弾性材料で構成したので、外力が作用した際に大きく変形させてキャップ１の脱落を未然に防止しながら、必要時には形状を復元させて引っ張り部２０として機能させることができる。
【００６３】
尚、上記実施形態では、可撓片１４が２つである場合について説明したが、可撓片１４の数は３つ以上であってもよい。
【００６４】
また、上記実施形態では、第１及び第２変形部２０ｃ，２０ｄと、他の部分とを同じ樹脂材で成形しているが、これに限らず、例えば、第１及び第２変形部２０ｃ，２０ｄと、他の部分とを異なる樹脂材で構成してもよく、この場合、第１及び第２変形部２０ｃ，２０ｄを構成する樹脂材の方を、小さな力で変形する弾性材料とすればよい。また、成形方法としては、周知の２色成形技術を用いればよい。
【００６５】
また、上記実施形態では、変形部を２つ設けているが、これに限らず、１つであっても外力を吸収することは可能であり、また、３つ以上設けてもよい。また、変形部を設ける位置は、例えば引っ張り部２０の基端側であってもよい。
【００６６】
また、上記実施形態では引っ張り部２０の形状を略円環状にしているが、これに限らず、楕円形や多角形（三角形、四角形等）にしてもよい。
【００６７】
また、図１４に示す変形例のように、引っ張り部２０が、その基端部にキャップ本体１０と連なる連結部２１を有するものとし、連結部２１を変形部としてもよい。
【００６８】
また、上記実施形態では、引っ張り部２０の中心Ｘを通る直線Ｚを対称の中心とする線対称の位置関係となるように第１及び第２変形部２０ｃ，２０ｄをそれぞれ設けているが、これに限らず、第１変形部２０ｃ及び第２変形部２０ｄは、引っ張り部２０の中心Ｘを対称の中心として点対称の位置関係となるように設けてもよい。
【産業上の利用可能性】
【００６９】
以上説明したように、本発明にかかるキャップは、例えば、輸液用の導管や、導管の端部に接続するコネクタを封止するのに使用できる。
【符号の説明】
【００７０】
１        キャップ
１０      キャップ本体
１１      円形板部
１２      円筒部
１３      延出板部
１４      可撓片
１４ｃ    突起
２０      引っ張り部
１００    医療用導管
１０１    雌コネクタ
【図１】
2013035591.tif 000003
【図２】
2013035591.tif 000004
【図３】
2013035591.tif 000005
【図４】
2013035591.tif 000006
【図５】
2013035591.tif 000007
【図６】
2013035591.tif 000008
【図７】
2013035591.tif 000009
【図８】
2013035591.tif 000010
【図９】
2013035591.tif 000011
【図１０】
2013035591.tif 000012
【図１１】
2013035591.tif 000013
【図１２】
2013035591.tif 000014
【図１３】
2013035591.tif 000015
【図１４】
2013035591.tif 000016